(57)【要約】【課題】  極めて強固な帯状体の固定強度が発揮されて不意に抜け外れることのない帯状体の着脱固定構造並びにこの帯状体の着脱固定構造を備えた携帯用収納ケースを提供すること。【解決手段】  一端を止着した帯状体１の他端部を着脱自在に固定する帯状体の着脱固定構造であって、被取付物２に両端部が付設され、中間部とこの被取付物２の外面との間に前記帯状体１の他端部を貫通挿入し得る挿入間隙３を有する押さえ体４を備え、この押さえ体４の内面と被取付物２の外面との間の前記挿入間隙３に前記帯状体１の他端部を貫通挿入した際、重合する帯状体１の他端側の外面と押さえ体４の内面とに夫々面ファスナー５を設けて、この面ファスナー５同士を係合止着することで前記押さえ体４に前記帯状体１を着脱自在に固定し得る構成とし、この帯状体１の他端部に、この帯状体１の外側に向かって突出し前記押さえ体４に係止することで帯状体１に前記挿入間隙３からの抜け止め作用を付与する掛止部６を設ける。【選択図】      図１
2005160698.tif 000002
【特許請求の範囲】
【請求項１】
一端を止着した帯状体の他端部を着脱自在に固定する帯状体の着脱固定構造であって、被取付物に両端部が付設され、中間部とこの被取付物の外面との間に前記帯状体の他端部を貫通挿入し得る挿入間隙を有する押さえ体を備え、この押さえ体の内面と被取付物の外面との間の前記挿入間隙に前記帯状体の他端部を貫通挿入した際、重合する帯状体の他端側の外面と押さえ体の内面とに夫々面ファスナーを設けて、この面ファスナー同士を係合止着することで前記押さえ体に前記帯状体を着脱自在に固定し得る構成とし、この帯状体の他端部に、この帯状体の外側に向かって突出し前記押さえ体に係止することで帯状体に前記挿入間隙からの抜け止め作用を付与する掛止部を設けたことを特徴とする帯状体の着脱固定構造。
【請求項２】
前記帯状体の他端部に折り返し片部を一体形成して前記掛止部を設けたことを特徴とする請求項１記載の帯状体の着脱固定構造。
【請求項３】
前記掛止部に隣接する前記帯状体の他端側に前記面ファスナーを付設したことを特徴とする請求項１，２のいずれか１項に記載の帯状体の着脱固定構造。
【請求項４】
前記掛止部は、前記帯状体に対して起伏自在に設けたことを特徴とする請求項１〜３のいずれか１項に記載の帯状体の着脱固定構造。
【請求項５】
前記被取付物の外面に重合沿設する前記押さえ体の両端部をこの被取付物の外面に付設することで、この押さえ体の中間部内面と被取付物の外面との間に幅狭な前記挿入間隙を形成したことを特徴とする請求項１〜４のいずれか１項に記載の帯状体の着脱固定構造。
【請求項６】
前記請求項１〜５のいずれか１項に記載の帯状体の着脱固定構造を備えたことを特徴とする携帯用収納ケース。
【発明の詳細な説明】
【技術分野】
【０００１】
本発明は、例えば、カメラや携帯電話などの機器やペットボトルなどの飲料容器などを携帯するための携帯用収納ケースに用いられる帯状体の着脱固定構造並びにこの帯状体の着脱固定構造を備えた携帯用収納ケースに関するものである。
【背景技術】
【０００２】
例えば、カメラを携帯するためのケースには、ズボンのベルトを差し込むことで腰に装着できる環状の固定具が備えられている。
【０００３】
この固定具を簡単に説明すると、ケース体の背面部の上部に帯状体の一端が止着され、この帯状体の他端部には面ファスナーが付設され、この帯状体他端部の面ファスナーが着脱自在に係合止着する面ファスナーを備えた止着部がケース体背面部の下部に設けられており、この帯状体の他端部をベルトの内側に通した上で、この帯状体他端部を前記止着部に止着することで、ケース体を腰に装着できるように構成されている（例えば、特許文献１参照。）。
【０００４】
【特許文献１】特開平１１−３３２６３０号公報
【発明の開示】
【発明が解決しようとする課題】
【０００５】
本発明は、この種ベルト通しなどに使用される帯状体の着脱固定構造の改良に係るもので、面ファスナーの止着固定強度が十分に発揮されると共に帯状体の抜け止め作用が発揮されて上記従来例よりも強固な帯状体の固定強度が発揮されることになり、不意に抜け外れることなく極めて信頼性の高い画期的な帯状体の着脱固定構造並びにこの帯状体の着脱固定構造を備えた携帯用収納ケースを提供するものである。
【課題を解決するための手段】
【０００６】
添付図面を参照して本発明の要旨を説明する。
【０００７】
一端を止着した帯状体１の他端部を着脱自在に固定する帯状体の着脱固定構造であって、被取付物２に両端部が付設され、中間部とこの被取付物２の外面との間に前記帯状体１の他端部を貫通挿入し得る挿入間隙３を有する押さえ体４を備え、この押さえ体４の内面と被取付物２の外面との間の前記挿入間隙３に前記帯状体１の他端部を貫通挿入した際、重合する帯状体１の他端側の外面と押さえ体４の内面とに夫々面ファスナー５を設けて、この面ファスナー５同士を係合止着することで前記押さえ体４に前記帯状体１を着脱自在に固定し得る構成とし、この帯状体１の他端部に、この帯状体１の外側に向かって突出し前記押さえ体４に係止することで帯状体１に前記挿入間隙３からの抜け止め作用を付与する掛止部６を設けたことを特徴とする帯状体の着脱固定構造に係るものである。
【０００８】
また、前記帯状体１の他端部に折り返し片部６Ａを一体形成して前記掛止部６を設けたことを特徴とする請求項１記載の帯状体の着脱固定構造に係るものである。
【０００９】
また、前記掛止部６に隣接する前記帯状体１の他端側に前記面ファスナー５を付設したことを特徴とする請求項１，２のいずれか１項に記載の帯状体の着脱固定構造に係るものである。
【００１０】
また、前記掛止部６は、前記帯状体１に対して起伏自在に設けたことを特徴とする請求項１〜３のいずれか１項に記載の帯状体の着脱固定構造に係るものである。
【００１１】
また、前記被取付物２の外面に重合沿設する前記押さえ体４の両端部をこの被取付物２の外面に付設することで、この押さえ体４の中間部内面と被取付物２の外面との間に幅狭な前記挿入間隙３を形成したことを特徴とする請求項１〜４のいずれか１項に記載の帯状体の着脱固定構造に係るものである。
【００１２】
また、前記請求項１〜５のいずれか１項に記載の帯状体の着脱固定構造を備えたことを特徴とする携帯用収納ケースに係るものである。
【発明の効果】
【００１３】
本発明は上述のように構成したから、帯状体の他端部を、被取付物が外面と押さえ体の中間部の内面との間の挿入間隙に貫通挿入し、この際重合する帯状体の他端側外面の面ファスナーと押さえ体内面の面ファスナーとを係合止着すると共に、帯状体他端部の掛止部を押さえ体に係止することで、帯状体の他端部が押さえ体への挿入方向と反対側方向へ抜け外れようとする力が加わっても、この力に対し面ファスナー同士の係合止着強度が十分に発揮されて簡単に面ファスナー同士が引き剥がれてしまうことがなく、しかも、掛止部が押さえ体に係止することによって帯状体に前記挿入間隙からの抜け止め作用が付与されるので、面ファスナーによる係合止着作用と、掛止部の抜け止め作用とにより、帯状体が押さえ体に確固に止着固定されて挿入間隙より抜け外れることが阻止されることになる。
【００１４】
従って、例えば、本発明をカメラやペットボトルなどの収納ケース（被取付物）の蓋部の閉塞保持構造に適用すれば、蓋部の閉塞状態が確固に保持されて収納物の脱落を防止できることになり、また、例えば、収納ケースのベルト通し構造に適用すれば、帯状体と被取付物との間にベルトを挿入して帯状体を押さえ体に固定することで、ベルトに対して収納ケースが不意に脱落したりすることなく携帯されることになるなど、極めて実用性に秀れた信頼性の高い画期的な帯状体の着脱固定構造となる。
【００１５】
また、請求項２記載の発明においては、帯状体の一部を利用して掛止部を構成するから、帯状体とは別部品の掛止部を用意する必要がなく簡易に設計実現可能であり、一層量産性に秀れ安価に構成可能となる極めて実用性に秀れた構成の帯状体の着脱固定構造となる。
【００１６】
また、請求項３記載の発明においては、面ファスナー同士の係合止着が外れそうになってもすぐに掛止部による抜け止め作用が発揮されて帯状体の強固な抜け止め止着作用が得られる実用性に秀れた構成の帯状体の着脱固定構造となる。
【００１７】
また、請求項４記載の発明においては、この掛止部を伏すことで帯状体を挿入間隙に容易に挿入することができる一層実用性に秀れた構成の帯状体の着脱固定構造となる。
【００１８】
また、請求項５記載の発明においては、押さえ体が被取付物の外面に対してさほど外方へ浮き上がることがないため、面ファスナーの係合止着強度が最大限に発揮されることになる一層実用性に秀れた構成の帯状体の着脱固定構造となる。
【００１９】
また、請求項６記載の発明においては、前記作用・効果を発揮する極めて実用性に秀れた携帯用収納ケースとなる。
【発明を実施するための最良の形態】
【００２０】
好適と考える本発明の最良の形態（発明をどのように実施するのが最良か）を、図面に基づいて本発明の作用効果を示して簡単に説明する。
【００２１】
帯状体１の他端部を、被取付物２の外面と押さえ体４の中間部の内面との間の挿入間隙３に貫通挿入し、この際重合する帯状体１の他端側外面の面ファスナー５と押さえ体４内面の面ファスナー５とを係合止着すると共に、帯状体１他端部の掛止部６を押さえ体４に係止するか若しくは掛止部６が押さえ体４の近傍に位置するように配設する。
【００２２】
すると、面ファスナー５同士の係合止着によって前記押さえ体４に前記帯状体１が固定される。
【００２３】
また、この際、帯状体１の他端部が押さえ体４への挿入方向と反対側方向へ抜け外れようとする力が加わると、その力によって押さえ体４の面ファスナー５の止着面に対しその横方向（面幅方向）へ帯状体１の面ファスナー５が移動しようとするために、面ファスナー５の止着原理上、この力に対しては面ファスナー５同士の係合止着強度が十分に発揮されて、簡単に面ファスナー５同士が引き剥がれてしまうことがない。即ち、本発明においては、帯状体１他端部の面ファスナー５と押さえ体４の面ファスナー５との係合止着強度は最大限に発揮されるため、簡単に帯状体１が挿入間隙３から抜け外れてしまうことはない。
【００２４】
また、この際、帯状体１が前記挿入間隙３から抜け外れる方向へ移動しても、掛止部６が押さえ体４に係止して帯状体１にこの挿入間隙３からの抜け止め作用が付与される。
【００２５】
従って、面ファスナー５による係合止着作用と、掛止部６の抜け止め作用とにより、帯状体１が押さえ体４に確固に止着固定されて挿入間隙３より抜け外れることが阻止されることになる。
【００２６】
よって、例えば、本発明をカメラやペットボトルなどの収納ケース２（被取付物２）の蓋部２Ａの閉塞保持構造Ｘに適用すれば、蓋部２Ａの閉塞状態が確固に保持されて収納物の脱落を防止できることになり、また、例えば、収納ケース２のベルト通し構造Ｙに適用すれば、帯状体１と被取付物２との間に挿入物７としてベルト７を挿入して帯状体１を押さえ体４に固定することで、ベルト７に対して収納ケース２が不意に脱落したりすることなく携帯されることになる。
【００２７】
また、例えば、前記帯状体１の他端部に折り返し片部６Ａを一体形成して前記掛止部６を設ければ、別部品の掛止部６を用意せずとも帯状体１の一部を利用して掛止部６を構成できるから、この構成は簡易に設計実現可能であり量産性に秀れ安価に構成可能となる。
【００２８】
また、例えば、前記掛止部６に隣接する前記帯状体１の他端側に前記面ファスナー５を付設すれば、帯状体１の他端部を挿入間隙３に貫通挿入する際、掛止部６が押さえ体４を過ぎたところですぐに面ファスナー５同士を係合止着することができるので操作性に秀れ、しかも、面ファスナー５同士の係合止着が外れそうになってもすぐに掛止部６が押さえ体４に係止して抜け止め作用が発揮されることになる。
【００２９】
また、例えば、前記掛止部６は、前記帯状体１に対して起伏自在に設ければ、前記挿入間隙３に帯状体１の他端部を貫通挿入する際に掛止部６を伏しておくことができるので、この掛止部６が挿入間隙３への帯状体１挿入の邪魔とならず、しかも、例えば、掛止部６が帯状体１他端部の面ファスナー５に伏す構成とすることで、掛止部６が面ファスナー５同士の係合止着を阻止することになるので、掛止部６が押さえ体４に係止して抜け止め作用を付与する構成でありながら、この掛止部６の例えば挿入操作を極めて容易に行うことができることになる。
【００３０】
また、例えば、前記被取付物２の外面に重合沿設する前記押さえ体４の両端部をこの被取付物２の外面に付設することで、この押さえ体４の中間部内面と被取付物２の外面との間に幅狭な前記挿入間隙３を形成すれば、押さえ体４が被取付物２の外面に対してさほど外方へ浮き上がることがなく、これにより押さえ体４の浮き上がりが原因で係合止着している面ファスナー５同士が簡単に引き剥がれてしまうことがないため、面ファスナー４の係合止着強度が最大限に発揮されることになる。
【実施例１】
【００３１】
本発明の具体的な実施例１について図１〜図８に基づいて説明する。
【００３２】
本実施例は、被取付物２として蓋部２Ａを備えたカメラや携帯電話などの収納ケース（以下、収納ケース２と称す。）を採用した場合を示し、この収納ケース２前面側の蓋部２Ａの閉塞保持構造Ｘ並びに収納ケース２背面側のベルト通し構造Ｙに本発明を適用している。
【００３３】
また、この収納ケース２は、例えば、化学繊維などの柔軟な布材で形成したもので、図１に示すように、上部開放形をなし、この収納ケースの背面部の上部から一体的に舌片状の蓋部２を起伏開閉自在に突設した構成のものを採用している。
【００３４】
先ず、収納ケース２前面側の蓋部２Ａの閉塞保持構造Ｘを説明する。
【００３５】
図１，図２に示すように、蓋部２Ａの突出先端部に、帯状体１の一端部を止着して他端部を下方へ垂下させる。即ち、帯状体１を、その長さ方向が収納ケース２の上下方向と一致するようにして（縦にして）収納ケース２の前面部に配し、上端部（一端部）を蓋部２Ａの先端部外面に止着（縫着）している。
【００３６】
また、この帯状体１は、化学繊維などの柔軟な布材で形成したもので、収納ケース２の上下幅（高さ幅）よりもやや短い長さ寸法を有するものを採用し、下方へ垂下する帯状体１の他端部（下端部）が必要以上に垂れ下がって体裁不良とならないようにしている。
【００３７】
また、押さえ体４は、化学繊維などの柔軟な布材で形成した帯状体を採用し、この帯状の押さえ体４を、その長さ方向が収納ケース２の上下方向と直交するようにして（横にして）収納ケース２の前面部の下側寄りであって、帯状体１の他端部よりもやや上側に配し、両端部を収納ケース２の前面（外面）に止着（縫着）している。
【００３８】
従って、この押さえ体４の収納ケース２外面に対して付設されない中間部内面と、収納ケース２の前面部との間には挿入間隙３が形成され、この挿入間隙３に前記帯状体１の他端部を下方へ貫通挿入し得るように構成している。
【００３９】
また、この押さえ体４は、収納ケース２の前面部に重合沿設させた状態で両端部を付設し、これにより押さえ体４の中間部内面と被取付物２の前面部との間に生じる前記挿入間隙３の前後奥行幅を可及的に小さくしている。
【００４０】
また、この挿入間隙３は、前記帯状体１の他端部の横幅よりもやや大きい横幅を有するように押さえ体４の両端部の止着面積を設定構成し、挿入間隙３の前後奥行幅を小さくしたこととも相まって、この挿入間隙３の存する押さえ体４の中間部が簡単に外方へめくり上がらないように構成している。
【００４１】
また、本実施例では、前記挿入間隙３に前記帯状体１の他端部を貫通挿入した際、重合する帯状体１の他端側の外面（収納ケース２に対して外側となる前側面）と押さえ体４の内面とに夫々面ファスナー５を設けて、この面ファスナー５同士を係合止着することで前記押さえ体４に前記帯状体１を着脱自在に固定し得る構成としている。
【００４２】
また、帯状体１外面の他端側には、この帯状体１の略横幅一杯に面ファスナー５を付設し、一方、押さえ体４の中間部内面には、この中間部内面の略全域に面ファスナー５を付設して、面ファスナー５同士が広い面積で係合止着し合って良好な止着強度が発揮されるように構成している。
【００４３】
また、この各面ファスナー５同士の係合止着状態は、前述のように挿入間隙３の存する押さえ体４の中間部が簡単にめくり上がらない構成としているために、簡単に剥がれてしまうことはない。
【００４４】
また、本実施例では、帯状体１の他端部に、この帯状体１の外側に向かって突出し前記押さえ体４に係止することで帯状体１に前記挿入間隙３からの抜け止め作用を付与する掛止部６を設けている。
【００４５】
具体的には、この帯状体１の他端部（下端部）を外側へ折り返すと共に、側方から見て帯状体１の他端とこの折り返し部とが略Ｖ字状をなすように折り返し部分を縫着してこの折り返し片部６Ａを掛止部６としている。従って、掛止部６をこのように構成したため、この構成は簡易に設計実現可能な構成であり量産性に秀れ安価な製品を提供可能となる。
【００４６】
即ち、このＶ字状に折り返された折り返し片部６Ａを、帯状体１の他端部を挿入間隙３に貫通挿入した後押さえ体４下部の外面の外側に存するように配すると、万一面ファスナー５同士の係合止着が外れそうになって帯状体１が上方へ移動しても、掛止部６（折り返し片部６Ａ）が押さえ体４の下縁に引っ掛かって抜け止め作用が発揮される構成としている。
【００４７】
また、この折り返し部６Ａは、柔軟な帯状体１から一体的に形成したため、この帯状体１に対して起伏自在であり、帯状体１の他端部を挿入間隙３より抜き挿しする際にこの折り返し部６Ａを邪魔にならないように起伏させることができる構成としている。
【００４８】
また、本実施例では、この掛止部６に隣接する前記帯状体１の他端側に前記面ファスナー５を付設し、面ファスナー５同士の係合止着が外れそうになって帯状体１が上方へ移動してもすぐに掛止部６が押さえ体４の下縁に引っ掛かる構成としている。
【００４９】
この閉塞保持構造Ｘの作用を説明する。
【００５０】
蓋部２Ａを閉じ、帯状体１の他端部を、ケース体２の前面と押さえ体４の中間部の内面との間の挿入間隙３に貫通挿入する。この際、帯状体１より外方へ突出する掛止部６（折り返し片部６Ａ）は、柔軟に起伏するため、帯状体１他端部の面ファスナー５上に伏した状態となって押さえ体４を逃げることになるので、帯状体１の他端部は支障なく挿入間隙３に挿入することができる。また、折り返し片部６Ａが帯状体１他端部の面ファスナー５上に伏していることで、貫通挿入時の面ファスナー５同士の係合止着を阻止することになるため、面ファスナー５同士が係合止着することで引っ掛かったりせず、スムーズに帯状体１の他端部を貫通挿入させることができる（図５参照）。そして、掛止部６が押さえ体４の下縁より下方へ位置したら、図６中の矢印のように掛止部６は自動的に傾斜状態に復帰することになり、この際、重合する帯状体１の他端側外面の面ファスナー５と押さえ体４内面の面ファスナー５とを係合止着すると共に、例えば、図７に示すように貫通挿入した帯状体１他端部の掛止部６を押さえ体４の下縁に係止するか若しくは掛止部６が押さえ体４の下縁の近傍に位置するようにする。
【００５１】
すると、面ファスナー５同士の係合止着によって前記押さえ体４に前記帯状体１が固定され、蓋部２Ａが収納ケース２の上部開放部を閉塞した状態で保持される。
【００５２】
また、この際、帯状体１の他端部が押さえ体４への挿入方向と反対側方向へ抜け外れようとする力が加わると、その力によって押さえ体４の面ファスナー５の止着面に対しその横方向（面幅方向）へ帯状体１の面ファスナー５が移動しようとするために、この力に対しては面ファスナー５同士の係合止着強度が十分に発揮されて、簡単に面ファスナー５同士が引き剥がれてしまうことがない。即ち、一の面ファスナー５に対して係合止着している他の面ファスナー５を、一の面ファスナー５の面方向と直交する方向へ引き剥がすこと（一の面ファスナー５に対して他の面ファスナー５を開くように引き剥がすこと）は容易に行われるが、面ファスナー５の止着原理上、一の面ファスナー５に対して係合止着している他の面ファスナー５を、一の面ファスナー５の面方向へ剥がそうとすること（他の面ファスナー５を開かないようにして剥がそうとすること）に対しては非常に強い止着力を発揮するため、本実施例においては、帯状体１他端部の面ファスナー５と押さえ体４の面ファスナー５との係合止着強度は最大限に発揮されることになり、簡単に引き剥がれて帯状体１が挿入間隙３から抜け外れることのない構成としている。
【００５３】
また、この際、帯状体１が挿入間隙３から抜け外れようとする方向に移動すると、掛止部６が押さえ体４の下縁に係止し、これによって帯状体１に挿入間隙３からの抜け止め作用が付与される。
【００５４】
従って、面ファスナー５による強力な係合止着作用と、掛止部６の抜け止め作用とにより、帯状体１が押さえ体４に極めて確固に止着固定されて挿入間隙３より抜け外れることが阻止されることになる。よって、蓋部２Ａの閉塞状態が極めて強固に保持され、不意に蓋部２Ａが開いて収納ケース２内の収納物（カメラや携帯電話など）が脱落することを防止できることになる。
【００５５】
また、帯状体１の他端部と押さえ体４との固定状態を解除する場合には、例えば、帯状体１と収納ケース２外面（前側面）との間に指を入れて帯状体１の押さえ体４付近を持ち、図８中の矢印に示すように外側上方へ引っ張ったり、あるいはねじったりしながら上方へ引っ張ると、帯状体１他端部の面ファスナー５が押さえ体４の面ファスナー５に対して開くように剥離する力が加わると共に、帯状体１が上方へ移動するにつれて掛止部６がその厚みにより面ファスナー５同士を剥がすように作用することになるので、面ファスナー５同士が簡単に剥離することになり、挿入間隙３から帯状体１の他端部を簡単に挿脱させることができる。
【００５６】
従って、帯状体１の他端部と押さえ体４との固定状態が強固に保持される構成でありながら、帯状体１を挿入間隙３から抜き外すことも簡単に行われる構成としている。
【００５７】
次に、収納ケース２背面側のベルト通し構造Ｙを説明する。
【００５８】
図３，図４に示すように、収納ケース２の背面部の上部に、帯状体１の一端を止着して帯状体１の他端部を下方へ垂下させる一方、収納ケース２の背面部の下側であって帯状体１の他端部よりもやや上側に押さえ体４を付設している。
【００５９】
その他の構成は、前記閉塞保持構造Ｘと同様である。
【００６０】
このベルト通し構造Ｙの作用を説明する。
【００６１】
帯状体１の他端部をベルト７（挿入物７）の内側に通し、この帯状体１の他端部を、ケース体２の背面と押さえ体４の中間部の内面との間の挿入間隙３に貫通挿入し、この際重合する帯状体１の他端側外面の面ファスナー５と押さえ体４内面の面ファスナー５とを係合止着すると共に、帯状体１他端部の掛止部６を押さえ体４の下縁に係止するか若しくは掛止部６が押さえ体４の下縁の近傍に位置するようにする。
【００６２】
すると、面ファスナー５同士の係合止着によって前記押さえ体４に前記帯状体１が固定され、これによってケース体２はベルト７に対して脱落しない状態に強固に保持（携帯）されることになる。
【００６３】
そして、上記閉塞保持構造Ｘの場合と同様に、面ファスナー５による強力な係合止着作用と、掛止部６の抜け止め作用とにより、帯状体１が押さえ体４に確固に止着固定されて挿入間隙３より抜け外れることが阻止されることになり、ケース体２が不意にベルト７から脱落してしまうことがない。
【００６４】
また、帯状体１の他端部と押さえ体４との固定状態を解除する操作方法も、上記閉塞保持構造Ｘの場合と同様である。
【実施例２】
【００６５】
本発明の具体的な実施例２について図９に基づいて説明する。
【００６６】
本実施例は、被取付物２として、ペットボトルなどの飲用容器８を収納する携帯用収納ケース２を採用した場合を示し、この収納ケース２背面側のベルト通し構造Ｙに本発明を適用している。
【００６７】
本実施例のベルト通し構造Ｙは、前記実施例１で示したものと構成も作用も同様であるため、詳しく説明することは省略する。
【００６８】
尚、本発明は、実施例１，２に限られるものではなく、各構成要件の具体的構成は適宜設計し得るものである。
【図面の簡単な説明】
【００６９】
【図１】実施例１の閉塞保持構造を示す斜視図である。
【図２】実施例１の閉塞保持構造の帯状体を固定解除した状態を示す斜視図である。
【図３】実施例１のベルト通し構造を示す斜視図である。
【図４】実施例１のベルト通し構造の帯状体を固定解除した状態を示す斜視図である。
【図５】帯状体の他端部を挿入間隙に挿入する途中の状態を示す部分拡大説明図である。
【図６】帯状体の他端部を挿入間隙に貫通挿入した状態を示す部分拡大説明図である。
【図７】掛止部を押さえ体の下縁に係止すると共に、帯状体の面ファスナーと押さえ体の面ファスナーとを係合止着した固定状態を示す部分拡大説明図である。
【図８】帯状体の他端部を外側上方へ引っ張って挿入間隙より挿脱しようとする状態を示す部分拡大説明図である。
【図９】実施例２のベルト通し構造を示す斜視図である。
【符号の説明】
【００７０】
１  帯状体
２  被取付物
３  挿入間隙
４  押さえ体
５  面ファスナー
６  掛止部
６Ａ  折り返し片部
【図１】
2005160698.tif 000003
【図２】
2005160698.tif 000004
【図３】
2005160698.tif 000005
【図４】
2005160698.tif 000006
【図５】
2005160698.tif 000007
【図６】
2005160698.tif 000008
【図７】
2005160698.tif 000009
【図８】
2005160698.tif 000010
【図９】
2005160698.tif 000011